(57)【特許請求の範囲】
【請求項１】
情報記録媒体を排出する排出部を有する情報記録装置において，
内部曲面により音響反射面を構成した消音部を，前記排出部から放射された音が前記内部曲面で反射して前記排出部に戻る位置に設け，
前記音響反射面で反射した音と，排出部から放射された音とを干渉させて騒音を低減し，前記消音部を蛇腹状の分割構造とし，少なくとも１つの分割部分がスライド可能としたことを特徴とする情報記録装置。
【請求項２】
情報記録媒体を排出する排出部を有する情報記録装置において，
略円筒内側面を音響反射面とした消音部を，当該消音部の中心軸と前記排出部とが略一致するように設け，
前記排出部を前記消音部外まで連通させ，
前記音響反射面で反射した音と，排出部から放射された音とを干渉させて騒音を低減し，前記消音部を蛇腹状の分割構造とし，少なくとも１つの分割部分がスライド可能としたことを特徴とする情報記録装置。
【請求項３】
前記消音部の内径を，前記音響反射面における位相ずれを考慮して設定したことを特徴とする請求項１または請求項２に記載の情報記録装置。
【請求項４】
前記消音部の内部に，複数の仕切板を，前記排出部から略放射状に設けたことを特徴とする請求項１から請求項３のいずれかに記載の情報記録装置。
【請求項５】
前記仕切板により構成する各消音ブロックごとに，前記消音部の内径を設定したことを特徴とする請求項４に記載の情報記録装置。
【請求項６】
前記消音部の内径を，情報記録装置に内設されるファン固有の周波数に基づき設定したことを特徴とする請求項１または請求項２に記載の情報記録装置。
【発明の詳細な説明】
【０００１】
【発明の属する技術分野】
この発明は，情報記録装置に関し，更に詳しくは，複写機，各種プリンタ，印刷機などが発する騒音を低減し得る情報記録装置に関する。
【０００２】
【従来の技術】
現在，情報記録装置の機械音などが，オフィスでの騒音の原因となっている。特に，用紙の排出口からの騒音が顕著である。
【０００３】
従来，このような情報記録装置の騒音を低減する技術としては，例えば，特開昭６０−１６２６８０号公報に記載の騒音低減装置が知られている。この騒音低減装置では，事務機器の用紙排出口に路長の異なる複数の屈折通路を設置し，この屈折路を通過した屈折伝播音と，排出口からの直接伝播音とを干渉させ，騒音を低減している。
【０００４】
【発明が解決しようとする課題】
しかしながら，上記騒音低減装置を用いた情報記録装置では，複数の屈折通路を必要とするため，装置の構成が複雑になり，その製造に手間がかかるという問題点があった。
【０００５】
この発明は上記に鑑みてなされたものであって，簡単な構成により騒音を低減できる情報記録装置を提供することを目的とする。
【０００６】
【課題を解決するための手段】
上述の目的を達成するために，請求項１の情報記録装置は，情報記録媒体を排出する排出部を有する情報記録装置において，内部曲面により音響反射面を構成した消音部を，前記排出部から放射された音が前記内部曲面で反射して前記排出部に戻る位置に設け，前記音響反射面で反射した音と，排出部から放射された音とを干渉させて騒音を低減し，前記消音部を蛇腹状の分割構造とし，少なくとも１つの分割部分がスライド可能としたことを構成上の特徴とするものである。
【０００７】
すなわち，少なくとも内部曲面を有する部材であれば消音部として成立するので，構成が簡単になる。そして，かかる消音部をその機能（干渉による騒音低減）を発揮できる所定位置に設ける結果，比較的簡単な構成により前記排出部からの騒音を低減可能となる。また、前記消音部を蛇腹状の分割構造としため，分割部分をスライドさせることで，情報記録媒体が取り出しやすくなる。
【０００８】
上述の目的を達成するために，請求項２の情報記録装置は，情報記録媒体を排出する排出部を有する情報記録装置において，略円筒内側面を音響反射面とした消音部を，当該消音部の中心軸と前記排出部とが略一致するように設け，前記排出部を前記消音部外まで連通させ，前記音響反射面で反射した音と，排出部から放射された音とを干渉させて騒音を低減し，前記消音部を蛇腹状の分割構造とし，少なくとも１つの分割部分がスライド可能としたことを構成上の特徴とするものである。
【０００９】
かかる構成においても，略円筒の部材を用いて消音部を構成するため，製造・構成とも簡単になる。そして，かかる消音部を，その機能（干渉による騒音低減）を発揮できる位置，すなわち，消音部の中心軸と前記排出部とが略一致する位置に設ける結果，簡単な構成により前記排出部からの騒音を低減可能となる。
【００１０】
また，消音部を設けたことに伴い，前記排出部を前記消音部外まで連通させる構造としたので，排出した情報記録媒体を取り出し易くなる。さらに、前記消音部を蛇腹状の分割構造としため，分割部分をスライドさせることで，情報記録媒体が取り出しやすくなる。
【００１１】
上述の目的を達成するために，請求項３の情報記録装置は，上記情報記録装置（請求項１または請求項２）において，前記消音部の内径を，前記音響反射面における位相ずれを考慮して設定したことを構成上の特徴とするものである。
【００１２】
一般に，排出部から放射された音は，前記音響反射面において位相がずれて反射するため，逆位相の反射音が得にくくなり，騒音の低減効率が劣化する。一方，この発明では装置を簡単に構成する必要があるため，電気的処理を行うのは適当でない。そこで，消音部の内径に補正長を加えるなど，予め位相のずれを考慮して前記内径を設定をしておくようにした。このため，位相ずれを抑制でき，騒音の低減が良好に行える。
【００１３】
上述の目的を達成するために，請求項４の情報記録装置は，上記情報記録装置（請求項１または請求項３）において，前記消音部の内部に，複数の仕切板を，前記排出部から略放射状に設けたことを構成上の特徴とするものである。
【００１４】
仕切板なしだと音響共振や音の乱れが生じるが，消音部の内部に仕切板を設けて当該内部が複数の消音ブロックに分割すれば，排出部から音響反射面，音響反射面から排出部への音響伝播が強制的に行われる。このため，騒音の低減が良好に行える。
【００１５】
上述の目的を達成するために，請求項５の情報記録装置は，上記情報記録装置（請求項４）において，前記仕切板により構成する各消音ブロックごとに，前記消音部の内径を設定したことを構成上の特徴とするものである。
【００１６】
上記仕切板を設けた構成を更に発展させ，前記各消音ブロック毎に消音部の内径を設定するようにした。かかる構成によれば，例えば，各消音ブロック毎に３種類の半径を設定すれば，３種類の周波数の騒音を低減することが出来るので，広帯域に渡り騒音を低減できる。
【００１９】
上述の目的を達成するために，請求項６の情報記録装置は，上記情報記録装置（請求項１または請求項２）において，前記消音部の内径を，情報記録装置に内設されるファン固有の周波数に基づき設定したことを構成上の特徴とするものである。
【００２０】
情報記録装置に内設されるファンは，騒音の大きな原因の１つであるため，かかるファンの発する騒音を重点的に低減する必要がある。上記の如く，消音部の内径の設定により種々の周波数の騒音に対応できから，消音部の内径を前記ファン固有の周波数に基づき設定すれば，ファンによる騒音の低減が可能になる。
【００２１】
【発明の実施の形態】
以下，この発明につき図面を参照しつつ詳細に説明する。なお，この実施の形態によりこの発明が限定されるものではない。
【００２２】
（実施の形態１）
図１は，この発明の実施の形態１の情報記録装置を示す斜視図である。この情報記録装置１００は，情報記録部１０の側面に消音部１を取り付けた構成である。消音部１は，図示の如く，側壁付きの１／４円筒形状であり，この消音部１の下方には排出用トレイ３が配置されている。
【００２３】
また，図２に示すように，消音部１の内面には音響反射面２が形成されている。この音響反射面２は，消音部１の内面そのものを用いてもよいし，反射効率の良い他の部材を張着して構成してもよい。さらに，消音部１は，曲面の中心軸が排出部１１と一致するように取り付けられる。従って，排出部１１から音響反射面２までの距離Ｒ（半径）は，一定となる。なお，図３に排出部１１と排出用トレイ３の形状を示す。
【００２４】
また，排出部１１から音響反射面２までの距離Ｒは，次のように決定する。
音響反射面２では，位相がずれた状態で騒音が反射するため，この位相を補正する必要がある。当該補正は，予定する半径ｒに補正長Ｌを加えることで行う。補正長Ｌは，次のようにして求める。排出部１１から放射された騒音は音響反射面２で反射され，２・（ｒ＋Ｌ）だけの路長を伝播し，再び排出部１１に戻ってくる。従って，補正長Ｌが，２・（ｒ＋Ｌ）＝λ／２・（２ｎ−１）（ｎ：自然数，騒音の波長をλ）の関係にあれば，反射音は逆位相となる。
【００２５】
以上より，上記関係を満たす補正長Ｌを求め，当初の半径ｒに加算すれば，距離Ｒを求めることが出来る。
【００２６】
図４は，排出用トレイ３の取り付け状態を示す説明図である。排出用トレイ３は，消音部１の底面に設けた排出口１ａから延出し，用紙が消音部１内への排出を防止するためのガイド３１を有している。
【００２７】
なお，図５に示すように，消音部１の上方に熱排気口４を設けてもよい。消音部１内の温度上昇により，音の伝播速度が変化し消音特性が低下するからである。
【００２８】
排出部１１から放射された騒音は，前記音響反射面２で逆位相となって反射し，当該反射音と排出部１１から放射される音とが干渉して打ち消される。これより，排出部１１から放出される騒音が低減される。
【００２９】
この情報記録装置１００は，消音部１を円筒形状の部材を用いて構成したので，装置の構成が簡単になり，製造が容易になる。また，消音の低減も良好に行える。
【００３０】
（実施の形態２）
図６は，この発明の実施の形態２の情報記録装置を示す説明図である。この情報記録装置２００は，上記情報記録装置１００と略同構成であるが，消音部１内部に放射状の仕切板５を設けた点が異なる。
【００３１】
この仕切板５により消音部１内は，蜂の巣状にブロック化される。この各ブロック内では，排出部１１から音響反射面２，音響反射面２から排出部１１への音響伝播が強制的に行われるので，騒音低減が効果的に行われる。なお，かかる仕切板５がない場合，消音部１の寸法によっては，消音部１内での音響共振や反射による音場の乱れが生じるおそれがある。
【００３２】
また，図７に示すように，実施の形態１と同様，消音部１の上方に熱排気口４を設けてもよい。この場合，仕切板５で形成する各ブロックからスムーズに空気循環が行われるように，仕切板５の一部に通気口５ａを設けておく。
【００３３】
（実施の形態３）
図８は，この発明の実施の形態３の情報記録装置を示す説明図である。この情報記録装置３００は，上記情報記録装置２００と略同構成であるが，排出部１１から音響反射面３０２までの距離を３段階（Ｒ１，Ｒ２，Ｒ３）に設定した点が異なる。
【００３４】
この構成によれば，３種類の周波数の騒音を低減できるから，広帯域に渡り騒音の低減が可能となる。なお，上記構成では，３段階の距離を設定したが，これに限られず，低減したい周波数の騒音に合わせて前記距離を複数段に設定してもよい。
【００３５】
例えば，情報記録装置３００に内設されるファンの回転音は，騒音の大きな原因の１つであるから，前記複数段の距離の一部を，排出部１１から音響反射面３０２までの距離Ｒ（Ｒ１，Ｒ２，Ｒ３）の一部をファンの騒音を低減し得る距離としてもよい。
【００３６】
ファンの発生する騒音の周波数は，ファンの羽数（ｗ）×回転数（ｍ／ｓ）で計算される基本周波数と，これの整数倍の周波数でピークとなる騒音が発生することが知られている。
【００３７】
従って，ファンの騒音を効果的に低減するには，
２Ｒ＝（２ｎ−１）ｃ／２ｗｍ      ｃ：音速
により求められる距離Ｒを設定すればよい。
【００３８】
また，上記複数段の距離Ｒ全てを上記ファン騒音対応の距離としてもよい（すなわち，実施の形態１での距離Ｒをファン騒音に対応する距離にするのと同じである）。
【００３９】
（実施の形態４）
図９は，この発明の実施の形態４の情報記録装置を示す説明図である。この情報記録装置４００は，上記情報記録装置１００と略同構成であるが，消音部１を蛇腹状の分割構造（分割部分４１，４２，４３）とした点が異なる。
【００４０】
分割部分４１，４２は，回転軸４４により軸支され，当該回転軸４４を中心にスライド開閉するようになっている。更に，分割部分４１，４２には，開閉操作に便利なハンドル４１ａ，４２ａが設られている。
【００４１】
図１０に，分割部分４１，４２をスライドさせて開いた状態を示す。
上記構成によれば，分割部分４１，４２を開くことで，排出用トレイ３にスタックされた用紙Ｐの取り出しが容易に行える。
【００４２】
なお，図１１に示すように，回転軸４４にピニオンギア４５を設け，モータ４６に軸止したウォームギア４７により，分割部分４１，４２のスライド開閉を自動化してもよい。
【００４３】
（実施の形態５）
図１２は，この発明の実施の形態５の情報記録装置を示す説明図である。この情報記録装置５００は，上記情報記録装置２００と略同構成であるが，消音部１に搬送部５０を設けた点が異なる。
【００４４】
この搬送部５０は，用紙Ｐを搬送する搬送ガイド５１および中継ころ５２と，消音部１の上部に設けられ用紙Ｐをターンさせるターン部５３と，ターン部５３によりターンされて消音部１を滑り落ちる用紙をスタックする用紙トレイ５４とから構成される。
【００４５】
まず，排出部１１から排出した用紙は，搬送ガイド５１および中継ころ５２により，消音部１の上部まで搬送，排出される。
【００４６】
消音部１の上部から排出された用紙Ｐは，ターン部５３によりターンさせられ，消音部１の外周を滑り落ちる。用紙トレイ５４は，滑り落ちる用紙Ｐを受けとめて，スタックする。
【００４７】
上記構成によれば，用紙の記録内容をすぐに確認できる。
【００４８】
【発明の効果】
以上説明したように，この発明の（請求項１）によれば，騒音を反射して反射音を当該騒音と干渉させ低減させる消音部を，少なくとも内部曲面を有する部材で構成する。このため，比較的簡単な構成で前記排出部からの騒音を低減できるようになる。また，この発明によれば，消音部を蛇腹状の分割構造とし，少なくとも１つの分割部分がスライド可能とした。このため，情報記録媒体を取り出しやすくなる。
【００４９】
また，この発明の（請求項２）によれば，消音部を，略円筒の部材で構成し，その内側面により騒音の反射を行うようにした。このため，比較的簡単な構成で前記排出部からの騒音を低減できるようになる。また，情報記録媒体の排出部を前記消音部外まで連通させる構造としたので，排出した情報記録媒体を取り出し易くなる。また，この発明によれば，消音部を蛇腹状の分割構造とし，少なくとも１つの分割部分がスライド可能とした。このため，情報記録媒体を取り出しやすくなる。
【００５０】
また，この発明の（請求項３）によれば，消音部の内径を，前記音響反射面における位相ずれを考慮して設定したので，位相ずれを抑制でき，騒音の低減が良好に行える。
【００５１】
また，この発明の（請求項４）によれば，消音部の内部に，複数の仕切板を，前記排出部から略放射状に設けたので，仕切板が形成する各消音ブロック内で音響伝播が強制的に行われる。このため，騒音の低減が良好に行える。
【００５２】
また，この発明の（請求項５）によれば，仕切板により構成する各消音ブロックごとに，前記消音部の内径を設定した。複数種類の周波数に対応でき，広帯域に渡り騒音を低減することが出来る。
【００５４】
また，この発明の（請求項６）によれば，消音部の内径を，情報記録装置に内設されるファン固有の周波数に基づき設定した。このため，騒音の大きな原因の１つであるファンに起因する騒音を重点的に低減できる。
【図面の簡単な説明】
【図１】この発明の実施の形態１の情報記録装置を示す斜視図である。
【図２】  図１の消音部の説明図である。
【図３】  排出部を示す斜視図である。
【図４】  図１の排出用トレイの取り付け状態を示す説明図である。
【図５】  図１の消音部の変形例を示す斜視図である。
【図６】  この発明の実施の形態２の情報記録装置を示す説明図である。
【図７】図６の消音部の変形例を示す説明図である。
【図８】  この発明の実施の形態３の情報記録装置を示す説明図である。
【図９】  この発明の実施の形態４の情報記録装置を示す説明図である。
【図１０】  図９の消音部の分割部分をスライドさせて開いた状態を示す説明図である。
【図１１】  図９の消音部の変形例を示す説明図である。
【図１２】  この発明の実施の形態５の情報記録装置を示す説明図である。
【符号の説明】
１００    情報記録装置
１０      情報記録部
１１      排出部
１        消音部
２        音響反射面
３        排出用トレイ
３１      ガイド
４        熱排気口
２００    情報記録装置
５        仕切板
５ａ      通気口
３００    情報記録装置
３０２    音響反射面
４００    情報記録装置
４１，４２，４３    分割部分
４４      回転軸
４１ａ，４２ａ    ハンドル
４５      ピニオンギア
４６      モータ
４７      ウォームギア
５００    情報記録装置
５０      搬送部
５１      搬送ガイド
５２      中継ころ
５３      ターン部
５４      用紙トレイ
【図１】
0003742456.tif 000002
【図２】
0003742456.tif 000003
【図３】
0003742456.tif 000004
【図４】
0003742456.tif 000005
【図５】
0003742456.tif 000006
【図６】
0003742456.tif 000007
【図７】
0003742456.tif 000008
【図８】
0003742456.tif 000009
【図９】
0003742456.tif 000010
【図１０】
0003742456.tif 000011
【図１１】
0003742456.tif 000012
【図１２】
0003742456.tif 000013